(57)【要約】【課題】トリガーが誤って押されたような場合における錠の誤動作を防止する。【解決手段】扉体１の全閉状態を検知する第１検知手段と、第２検知手段と、を備えている。第１検知手段は、戸先側縦枠５の見込面から突出するトリガー１０を備え、トリガー１０が押されることで第１検知スイッチが入って扉体１の全閉状態を検知するものであり、第２検知手段は、開口部上方の上枠２内に設けた第２検知スイッチを備え、扉体１が全閉位置となった時に第２検知スイッチが入って扉体の全閉状態を検知するものであり、前記第１検知スイッチと前記第２検知スイッチの両方の検知スイッチが入った時にのみ扉体１が全閉状態にあると判断して、解錠姿勢にあるロック片を施錠姿勢に移動させて扉体１の戸先側端面の被係止部に係止させる。【選択図】図４
2011231493.tif 000002
【特許請求の範囲】
【請求項１】
左右方向に移動して開口部を開閉する扉体と、
開口部の戸先側縦枠に設けられ、ロック片を備えた電気錠本体と、
扉体の戸先側端面に設けられ、施錠時にロック片が係止する被係止部と、
扉体の全閉状態を検知する第１検知手段と、第２検知手段と、を備え、
前記第１検知手段は、戸先側縦枠の見込面から突出するトリガーを備え、トリガーが押されることで第１検知スイッチが入って扉体の全閉状態を検知するものであり、
前記第２検知手段は、開口部上方の上枠内に設けた第２検知スイッチを備え、扉体が全閉位置となった時に第２検知スイッチが入って扉体の全閉状態を検知するものであり、
前記第１検知スイッチと前記第２検知スイッチの両方の検知スイッチが入った時にのみ扉体が全閉状態にあると判断して、解錠姿勢にあるロック片を施錠姿勢に移動させて前記被係止部に係止させることを特徴とする電気錠付き引戸装置。
【請求項２】
前記戸先側縦枠の見込面には高さ方向に延びる凹部が形成されており、
当該見込面は、前記凹部の底壁からなる第１見込面と、第１見込面の両側の第２見込面、第３見込面と、からなり、前記トリガーは前記第１見込面から突出しており、
前記凹部の幅寸法は、前記扉体の厚さよりも大きい寸法となっており、
前記凹部の深さは、前記第１見込面から突出するトリガーの突出寸法よりも大きい寸法となっており、前記トリガーは突出姿勢において、前記第２見込面及び第３見込面から突出しない、請求項１に記載の電気錠付き引戸装置。
【発明の詳細な説明】
【技術分野】
【０００１】
本発明は、電気錠付き引戸装置に関するものである。
【背景技術】
【０００２】
引戸用電気錠は、錠前本体に付いているトリガーが押されることにより、「扉が閉鎖した」と認識して、鎌錠（回動ロック片）が回動して施錠操作を行う。しかしながら、トリガーは常時突出しているため、扉が開いている状態でいたずら等により突出姿勢にあるトリガーが押されてしまうと、「扉が閉鎖した」と誤認識して、扉が開いた状態であるにもかかわらず鎌錠が突出してしまう。この場合、一時的に押されたトリガーが再び突出状態となるため、電気錠の制御部から電気的に鎌錠を解錠姿勢に復帰させることができず、手動でサムターンを回して突出した鎌錠を復帰させる必要があった。
【０００３】
このように扉が開いた状態で鎌錠が突出したような場合には、手動で鎌錠を解錠姿勢に復帰させるまで、扉の全閉ができなくなるという不具合がある。また、電気錠付き引戸装置が防火戸として設置されている場合には、防火戸としての性能を確保できないおそれがある。
【０００４】
トリガーを備えた引戸用電気錠は公知である。例えば、特許文献１は引戸用電気錠に係り、具体的には、錠箱本体と、この錠箱本体に取付けられた面座の孔から出没することができるように錠箱本体に枢着された回動ロック片と、この回動ロック片を回動することができるように錠箱本体に軸支され、かつ、回動ロック片の枢着部に形成されたガイド長孔と係合する突出ピンを有する従動歯車と、この従動歯車と噛合する歯車列と、この歯車列と噛合するクラッチ手段と、このクラッチ手段と噛合し、かつ、前記歯車列及び従動歯車を介して回動ロック片を回転させることができるように錠箱本体内に設けられた駆動モータと、一方、前記従動歯車を介し回動ロック片を回動することができるように錠箱本体に設けられ、かつ、従動歯車に噛合する駆動歯車を有する手動式施解錠手段（室内側に位置するサムターンと室外側に位置するシリンダ）とを備え、さらに、回動ロック片のフック部には係合溝が形成され、一方、錠箱本体内にはバネ部材のバネ力を利用してスライドバー（トリガー）を常時面座の第２の孔から突出するように押し出す回動片が軸支され、この回動片の先端部は前記係合溝に常時係合していると共に、錠箱本体内の適宜箇所には前記スライドバーの内端部の接点と接触し、かつ、引戸が開閉しているか否か検知する検知器が配設されていることを特徴とする引戸用電気錠、が開示されている。
【先行技術文献】
【特許文献】
【０００５】
【特許文献１】特開平７−２６８０９
【発明の開示】
【発明が解決しようとする課題】
【０００６】
本発明は、電気錠付き引戸において、全閉状態以外の時にトリガーが誤って押されたような場合における錠の誤動作を防止することを目的とするものである。
【課題を解決するための手段】
【０００７】
本発明が採用した技術手段は、
左右方向に移動して開口部を開閉する扉体と、
開口部の戸先側縦枠に設けられ、ロック片を備えた電気錠本体と、
扉体の戸先側端面に設けられ、施錠時にロック片が係止する被係止部と、
扉体の全閉状態を検知する第１検知手段と、第２検知手段と、を備え、
前記第１検知手段は、戸先側縦枠の見込面から突出するトリガーを備え、トリガーが押されることで第１検知スイッチが入って扉体の全閉状態を検知するものであり、
前記第２検知手段は、開口部上方の上枠内に設けた第２検知スイッチを備え、扉体が全閉位置となった時に第２検知スイッチが入って扉体の全閉状態を検知するものであり、
前記第１のスイッチと前記第２のスイッチの両方の検知スイッチが入った時にのみ扉体が全閉状態にあると判断して、解錠姿勢にあるロック片を施錠姿勢に移動させて前記被係止部に係止させることを特徴とする電気錠付き引戸装置、である。
【０００８】
１つの態様では、前記戸先側縦枠の見込面には高さ方向に延びる凹部が形成されており、
当該見込面は、前記凹部の底壁からなる第１見込面と、第１見込面の両側の第２見込面、第３見込面と、からなり、前記トリガーは前記第１見込面から突出しており、
前記凹部の幅寸法は、前記扉体の厚さよりも大きい寸法となっており、
前記凹部の深さは、前記第１見込面から突出するトリガーの突出寸法よりも大きい寸法となっており、前記トリガーは突出姿勢において、前記第２見込面及び第３見込面から突出しない。
【０００９】
１つの態様では、第１検知スイッチが入った時の検知信号は制御回路を介して制御部に送信され、制御部からの施錠信号を当該制御回路を介して電気錠本体に送信することで解錠姿勢にあるロック片を施錠姿勢に移動させるようになっており、かつ、第２検知スイッチは当該制御回路の要素となっている。第２検知スイッチが入った時にのみ当該制御回路が閉成されて、検知信号、施解錠信号の送信が可能となる。
あるいは、制御部は、第１検知スイッチと第２検知スイッチの両方からの検知信号を受信した時にのみ、施錠信号を電気錠本体に送信することで解錠姿勢にあるロック片を施錠姿勢に移動させるようにしてもよい。
【発明の効果】
【００１０】
請求項１に記載の発明では、第１検知スイッチと第２検知スイッチの両方の検知スイッチが入った時にのみ扉体が全閉状態にあると判断するので、扉体が開放姿勢にある時にトリガーが押し込まれて第１検知スイッチが入ったとしても、ロック片が突出するようなことがなく、突出したロック片によって扉体の全閉が妨げられることがない。また、第２検知スイッチは容易に触れることができない上枠内にあるので、いたずら等により第２検知スイッチが入ることがない。
【００１１】
請求項２に記載の発明では、突出姿勢にあるトリガーが戸先側縦枠の見込面の凹部の深さ内に収まっているため、トリガーが凹部内に退避して隠蔽された状態にあり、誤ってトリガーが押し込まれる可能性が低減される。
【図面の簡単な説明】
【００１２】
【図１】扉閉鎖時における引戸装置の姿図である。
【図２】扉閉鎖時における引戸装置の部分横断面図である。
【図３】電気錠の錠本体を示し、左図では回動ロック片が解錠姿勢にあり、右図では回動ロック片が施錠姿勢にある。
【図４】扉閉鎖時における本発明に係る電気錠付き引戸装置の作用を説明する図である。
【図５】扉開放時（非全閉時）における本発明に係る電気錠付き引戸装置の作用を説明する図である。
【図６】本発明に係る電気錠の動作フローチャートである。
【図７】扉体の戸尻側に設けた煙返しを示す引戸装置の横断面図である。
【図８】扉体の戸尻側に設けた煙返しを示す図である。
【発明を実施するための形態】
【００１３】
図１は扉閉鎖時における引戸装置の姿図であり、引戸装置は、扉体１と、上枠２内に設けた吊持レール３と、を有し、扉体１の上端に設けた吊持ローラ４が吊持レール３に案内されて移動することで、扉体１が、上枠２、戸先側縦枠５、床面６、戸袋部７で形成される開口部を開閉する。吊持レール３は、扉体１の閉鎖方向（戸先側）に向かって下方に傾斜するように延出しており、開口部を閉鎖する際には、扉体１の自重で扉体が閉鎖方向に移動する。尚、吊持レールを水平として、別途設けた自閉装置を用いて扉体を閉鎖方向に移動させてもよい。扉体１の収納部は、図２に示すような戸袋部７に限定されるものではなく、図７に示すように壁体７０に沿って収納されるものでもよい。扉体１の戸尻側には、防火性能を確保するための煙返し２０が設けてある。煙返し２０は、見込方向に延びる見込片２００と見付方向に延びる見付片２０１とから平面視Ｌ形状を有する板材から形成されており、見込片２００を扉体１の戸尻側端面に当接させて螺子で固定されている。図７、図８に基づいて後述するように、図２の煙返し２０においても、煙返し２０は、上端、下端において折り曲げることで上側水平片２０２、下側水平片２０３が形成されており、上側水平片２０２は扉体１の上面に当接させて螺子で固定されており、下側水平片２０３は扉体１の下面に当接させて螺子で固定されている。
【００１４】
引戸装置は電気錠を備えており、扉体１が全閉状態となると電気錠が施錠状態となって扉体１の開放が規制される。電気錠の錠本体は、箱状のケーシング８を有しており、ケーシング８には、解錠姿勢と施錠姿勢との間で回動可能な回動ロック片９と、扉体１が全閉状態となったことを検知する手段を構成するトリガー１０が設けてある。ケーシング８のフロントプレート８０には、回動ロック片９を突出可能とする第１開口と、トリガー１０を突出させる第２開口と、が形成されている。電気錠本体は戸先側縦枠５に設けてあり、解錠姿勢から施錠方向に回動した回動ロック片９は、扉体１の戸先側端面１１に設けた被係止部（ストライクプレート）に係止して施錠状態となる。電気錠本体を枠側に設けることで、電気錠本体を扉体１に設ける場合に比べて、電気錠本体と制御部１２とを接続する制御回路の配線を容易に行うことができる。
【００１５】
電気錠本体は、ケーシング８のフロントプレート８０が戸先側縦枠５の見込面と面一となるように戸先側縦枠５内に埋設されている。より具体的には、図２に示すように、戸先側縦枠５の見込面には高さ方向に延びる凹部５０が形成されており、見込面は、凹部５０の底壁からなる第１見込面５００と、第１見込面５００の両側の第２見込面５１、第３見込面５２と、からなる。凹部５０の幅寸法は、扉体１の厚さ（見込寸法）よりも大きい寸法となっており、開口部全閉時には、扉体１の戸先側端面１１が第１見込面５００に当接した状態で、扉体１の戸先側部位が凹部５０に収まるようになっている。電気錠のケーシング８は、フロントプレート８０が第１見込面５０と面一となるように戸先側縦枠５内に埋設されている。
【００１６】
図３に示すように、回動ロック片９は、解錠姿勢（非係止姿勢）では戸先側縦枠５内に退避して収まっており、施錠時には、戸先側縦枠５の第１見込面５００から突出するように回動して施錠姿勢（係止姿勢）となる。
【００１７】
トリガー１０はケーシング８のフロントプレート８０（第１見込面５００）から突出した状態にあるが、凹部５０の深さは、第１見込面５００から突出するトリガー１０の突出寸法よりも大きい寸法となっており、トリガー１０は突出姿勢において、凹部５０の深さ内に収まっており、第２見込面５１、第３見込面５２を越えて突出しないようになっている。
【００１８】
錠本体のケーシング８内には回動ロック片９、トリガー１０を含む複数の錠要素が内蔵されている。錠本体を構成する錠要素について以下に簡単に説明する。これらの錠要素は当業者に良く知られているので図示は省略する。また、必要であれば、例えば、特許文献１の記載事項を参照することができるが、錠要素の構成は、特許文献１や以下に記載する構成に限定されないことが当業者に理解される。
【００１９】
ケーシング８内には、駆動手段としてのモータ、モータの回転を回動ロック片９の回転に伝動する伝動機構が設けてある。伝動機構は複数の伝動要素（例えば、複数の歯車機構やクラッチ手段）から構成される。制御部１２からの指令によりモータが回転すると、伝動機構を介して回動ロック片９が解錠姿勢（図３左図）から施錠姿勢（図３右図）へ回動する。
【００２０】
戸先側縦枠５の室内外の見付面には手動式施解錠手段が設けてある。具体的には、戸先側縦枠５の室外側見付面５３には鍵孔を備えたシリンダ１３が、室内側見付面５４にはサムターン１４が、それぞれ、戸先側縦枠５に埋設した錠本体の高さ位置に対応して設けてある。鍵孔に鍵を挿入しての回転操作あるいはサムターン１４の回転操作は、伝動機構を介して回動ロック片９に伝動されるようになっており、挿入した鍵あるいはサムターン１４の回転操作によって、回動ロック片９を解錠姿勢と施錠姿勢との間で回動させることができる。
【００２１】
トリガー１０は、扉体１の全閉状態を検知する第１の検知手段を構成する。トリガー１０は、ケーシング８のフロントプレート８０から突出した姿勢を保持するように付勢されている。具体的には、図３左図に示すように、トリガー１０は、基端側に設けたバネ１５によってケーシング８内部からフロントプレート８０側に向かって回動付勢された回動片１６と係合しており、回動片１６の付勢力によって常にフロントプレート８０から突出した姿勢に保持されている。回動片１６は、フロントプレート８０側に回動付勢された状態において、その先端側が回動ロック片９に係合している。
【００２２】
扉体１が閉方向に移動して扉体１の戸先側端面がトリガー１０の先端に当接してトリガー１０をケーシング８内に押し込むと、図３右図に示すように、トリガー１０の基端部が第１検知スイッチ１７に接触してスイッチがＯＮとなり、制御回路を介して検知信号が制御部１２に送信される。また、トリガー１０が押し込まれることで、回動片１６はフロントプレート８０から離間する方向に回動し、回動片１６の先端側と回動ロック片９との係合が解除される。
【００２３】
引戸装置は、さらに、扉体１が全閉状態となったことを検知する第２の検知手段を備えている。第２の検知手段は、上枠２内に設けた枠側スイッチ要素（第２検知スイッチ）１８と、扉体１の上面に設けた扉側スイッチ要素１９と、からなるリミットスイッチである。枠側スイッチ要素１８と扉側スイッチ要素１９は、扉体１が全閉位置まで移動した時に、第２のスイッチ（枠側スイッチ要素１８）がＯＮとなるような位置に設けてある。一つの態様では、枠側スイッチ要素１８は近接センサであり、扉側スイッチ要素１９はマグネットである。枠側スイッチ要素１８、扉側スイッチ要素１９としては近接センサとマグネットとの組み合わせ以外の要素も用い得ることが当業者に理解される。
【００２４】
第２のスイッチは、電気錠の制御回路を構成しており、第２のスイッチがＯＮとなった時に制御回路が閉成されるようになっている。第２のスイッチがＯＦＦの場合には、制御回路は開放されており、信号の送信ができないようになっている。
【００２５】
このように構成された引戸用電気錠の動作について図４乃至図６に基づいて説明する。図４は扉体が全閉状態にある場合を示す。扉体１が閉方向に移動して、扉体１が全閉位置まで移動すると第２のスイッチがＯＮとなって制御回路が閉成される。また、扉体１が全閉位置まで移動すると、扉体１の戸先側端面がトリガー１０の先端に当接してトリガー１０をケーシング８内に押し込み、トリガー１０の基端部が第１検知スイッチ１７に接触してスイッチがＯＮとなり、制御回路を介して、検知信号が制御部１２に送信される。第１検知スイッチ１７からの検知信号を受信した制御部１２は、扉体１が全閉姿勢にあると判断して、制御回路を介して施錠信号を錠本体のモータに送信し、モータの回転に連動して解錠姿勢にある回動ロック片９が回動してフロントプレート８０の第１開口から突出して、全閉状態にある扉体１の戸先側端面１１の被係止部（ストライクプレート）に係止して施錠姿勢となる。
【００２６】
図５は扉体１が開放状態にある場合を示す。扉体１が全閉姿勢にない場合には、枠側スイッチ要素１８と扉側スイッチ要素１９は離間しており、第２のスイッチがＯＦＦとなって制御回路が形成されない。したがって、戸先側縦枠５の第１見込面５００から突出しているトリガー１０が誤って押し込まれて第１検知スイッチ１７がＯＮとなっても、検知信号は制御部１２には送信されないため、モータに施錠信号が送信されて解錠姿勢にある回動ロック片９が回動してフロントプレート８０の第１開口から突出するようなことがない。
【００２７】
さらに、トリガー１０は突出姿勢において、戸先側縦枠５の見込面の凹部５０の深さ内に収まっており、当該見込面の第２見込面５１、第３見込面５２を越えて突出しないようになっているため、誤ってトリガー１０が押し込まれる可能性が低減される。
【００２８】
図７は、扉体１が壁体７０に沿って収納される防火タイプの上吊式引戸を示す。図８に示すように、煙返し２０は、見込方向に延びる見込片２００と見付方向に延びる見付片２０１とから平面視Ｌ形状を有する板材から形成されており、見込片２００を扉体１の戸尻側端面に当接させて螺子で固定されている。煙返し２０は、上端、下端において折り曲げることで上側水平片２０２、下側水平片２０３が形成されている。上側水平片２０２は扉体１の上面に当接させて螺子で固定されており、下側水平片２０３は扉体１の下面に当接させて螺子で固定されている。
【００２９】
扉体１を吊った状態では、扉体１の上面は上枠内にあり、扉体１の下面は床面に接近しているので、上側水平片２０２、下側水平片２０３に固定した螺子を容易に外すことはできないため、仮に見込片２００を固定する螺子を外してバール等によるこじ開けが試みられたとしても、上側水平片２０２、下側水平片２０３に固定した螺子がこじ開けに対する抵抗となるため、防犯性に優れる。
【符号の説明】
【００３０】
１  扉体
２  上枠
５  戸先側縦枠
５０  凹部
５００  第１見込面
８  錠本体のケーシング
９  回動ロック片
１０  トリガー
１１  戸先側端面
１２  制御部
１７  第１検知スイッチ
１８  枠側スイッチ要素（第２検知スイッチ）
１９  扉側スイッチ要素
【図１】
2011231493.tif 000003
【図２】
2011231493.tif 000004
【図３】
2011231493.tif 000005
【図４】
2011231493.tif 000006
【図５】
2011231493.tif 000007
【図６】
2011231493.tif 000008
【図７】
2011231493.tif 000009
【図８】
2011231493.tif 000010